【手続補正書】
【提出日】平成22年12月15日(2010.12.15)
【手続補正１】
【補正対象書類名】特許請求の範囲
【補正対象項目名】全文
【補正方法】変更
【補正の内容】
【特許請求の範囲】
【請求項１】
光源の強度を変更する方法であって、
光源に対する指令強度を受け取るステップを含み、
前記光源が分解能に関連付けられた現在の強度を有し、
前記指令強度が分解能に関連付けられ、
前記現在の強度に関連付けられた分解能が前記指令強度に関連付けられた分解能よりも高く、
前記指令が受け取られたときに、開始強度が前記現在の強度に等しく、
前記光源が発光ダイオード光源を含み、
当該方法が、さらに、前記光源に対する強度において少なくとも３つの段階のシーケンスを決定するステップを含み、
前記シーケンスにおける各段階が、前記開始強度から前記指令強度に向かって前記光源の強度を変化させるために用いられ、
前記シーケンスにおける前記少なくとも３つの段階の各々が、スケーリング動作の結果に少なくとも部分的に基づいたものであり、
前記スケーリング動作の結果が実質的に定数であり、
当該方法が、光源の強度の変化を引き起こすステップをさらに含み、
前記光源に対する強度における前記少なくとも３つの段階のシーケンスが、該シーケンスの前記少なくとも３つの段階の各々の間にある時間間隔を発生させながら、前記現在の強度に対して各々順次付加される、
ことを特徴とする方法。
【請求項２】
前記光源強度変化を引き起こすステップの開始は、前記光源の強度における少なくとも３つの段階のシーケンスの決定ステップを完了する前に行う、請求項１に記載の方法。
【請求項３】
前記少なくとも３つの段階のシーケンスの決定ステップが、少なくとも部分的に前記指令強度及び前記現在の強度に基づいた予め算出された値を用いるステップを含む、請求項１に記載の方法。
【請求項４】
前記現在の強度が前記指令強度に等しくなる前に新規の指令強度を受け取り、前記指令強度を前記新規の指令強度と置き換え、前記開始強度を前記現在の強度と置き換えるステップをさらに含む、請求項１に記載の方法。
【請求項５】
前記シーケンスの少なくとも３つの段階の各々の間の前記時間間隔が予め設定された値である、請求項１に記載の方法。
【請求項６】
前記時間間隔が、前記シーケンスの少なくとも３つの段階の間の差の値である、請求項１に記載の方法。
【請求項７】
前記現在の強度が前記指令強度に実質的に等しくなったことの表示を送出するステップをさらに含む、請求項１に記載の方法。
【請求項８】
新規の指令強度を受け取り、前記新規の指令強度と前記指令強度との間の差異の大きさが閾値を超えた場合に前記新規の指令強度に対する即時の光源強度変化を引き起こすステップをさらに含む、請求項１に記載の方法。
【請求項９】
コンピュータにより読み取り可能な媒体に組み込まれ、光源の強度を変更するためのコンピュータプログラム製品であって、
ある現在の強度を有する光源に対する指令強度を受け取るためのコンピュータ命令を具備し、前記現在の強度が分解能に関連付けられ、前記指令強度が分解能に関連付けられ、前記現在の強度に関連付けられた分解能が前記指令強度に関連付けられた分解能よりも高く、前記指令が受け取られたときに、開始強度が前記現在の強度に等しく、前記光源が発光ダイオード光源を含み、
当該コンピュータプログラム製品が、さらに、前記光源に対する強度において少なくとも３つの段階のシーケンスの各々を決定するためのコンピュータ命令を具備し、前記シーケンスにおける前記少なくとも３つの段階の各々が、スケーリング動作の結果に少なくとも部分的に基づいたものであり、前記スケーリング動作の結果が実質的に定数であり、
当該コンピュータプログラム製品が、さらに、光源の強度の変化を引き起こすためのコンピュータ命令を具備し、前記光源に対する強度における前記少なくとも３つの段階のシーケンスが、該シーケンスの前記少なくとも３つの段階の各々にある時間間隔を発生させながら、前記現在の強度に対して各々順次付加される、
ことを特徴とするコンピュータプログラム製品。
【請求項１０】
プロセッサと、該プロセッサに結合され、前記プロセッサに命令を提供するように構成されたメモリと、を具備する光源の強度を変更するシステムであって、
前記命令が実行時に前記プロセッサに対して、
ある現在の強度を有する光源に対する指令強度を受け取るようにするものであり、前記現在の強度が分解能に関連付けられ、前記指令強度が分解能に関連付けられ、前記現在の強度に関連付けられた分解能が前記指令強度に関連付けられた分解能より高く、前記指令が受け取られたときに開始強度が前記現在の強度に等しく、前記光源が発光ダイオード光源を含み
前記命令が実行時にさらに前記プロセッサに対して、
前記光源に対する強度において少なくとも３つの段階のシーケンスを決定させるものであり、前記シーケンスにおける各段階が前記開始強度から前記指令強度に向かって前記光源の強度を変化させるために用いられ、前記シーケンスにおける前記少なくとも３つの段階の各々が、スケーリング動作の結果に少なくとも部分的に基づいたものであり、前記スケーリング動作の結果が実質的に定数であり、
前記命令が実行時にさらに前記プロセッサに対して、
光源の強度の変化を引き起こさせるものであり、
前記光源に対する強度における前記少なくとも３つの段階のシーケンスが、該シーケンスの前記少なくとも３つの段階の各々の間にある時間間隔を発生させながら、前記現在の強度に対して各々順次付加される、
ことを特徴とするシステム。
【請求項１１】
光源強度を変更する方法であって、
ある現在の強度を有する光源に対しての指令強度を受け取り、前記指令を受け取ったときに現在の強度が開始強度に等しくなるようにするステップと、
前記光源に対する強度の少なくとも３つの段階のシーケンスの各々を用いて前記光源強度を前記開始強度から前記指令強度に向けて変化させるように前記少なくとも３つの段階のシーケンスを決定するステップと、
光源強度変化を引き起こすステップと、
を含み、
前記光源の強度における前記少なくとも３つの段階のシーケンスが、該少なくとも３つの段階の各々の間で生じる時間間隔を有して前記電流強度に各々付加され、前記少なくとも３つの段階の各々の間の時間間隔が累進的に長くされる、
ことを特徴とする方法。
【請求項１２】
前記少なくとも３つの段階が強度が等しい段階である、請求項１１に記載の方法。
【請求項１３】
前記光源強度変化を引き起こすステップの開始が、前記光源の強度における少なくとも３つの段階のシーケンスを決定するステップの完了前に発生する、請求項１１に記載の方法。
【請求項１４】
前記少なくとも３つの段階の各々の間の時間間隔を決定するために前記指令強度及び前記現在の強度に従って選択された予め算出された値を用いるステップをさらに含む、請求項１１に記載の方法。
【請求項１５】
前記現在の強度が前記指令強度に等しくなる前に新規の指令強度を受け取り、前記指令強度を前記新規の指令強度と置き換え、前記開始強度を前記現在の強度と置き換えるステップをさらに含む、請求項１１に記載の方法。
【請求項１６】
前記シーケンスの少なくとも３つの段階の各々が予め設定された値である、請求項１１に記載の方法。
【請求項１７】
前記シーケンスの少なくとも３つの段階の各々が異なる値を有する、請求項１１に記載の方法。
【請求項１８】
前記少なくとも３つの段階及び前記シーケンスの少なくとも３つの段階の各々の間の前記時間間隔は、前記光源強度変化が複数の予め設定されたパターンのうちの１つを辿るように選択される、請求項１１に記載の方法。
【請求項１９】
前記複数の予め設定されたパターンのうちの１つが、あるタイプの白熱灯の強度の変化に視覚的に類似するように見えるよう構成される、請求項１８に記載の方法。
【請求項２０】
前記複数の予め設定されたパターンのうちの１つが、ヒューマンインタフェースデバイスを用いて選択される、請求項１８に記載の方法。
【請求項２１】
前記複数の予め設定されたパターンのうちの１つが、データ構造を介した指令を用いて選択される、請求項１８に記載の方法。
【請求項２２】
前記現在の強度が前記指令強度に実質的に等しくなったことの表示を送出するステップをさらに含む、請求項１１に記載の方法。
【請求項２３】
新規の指令強度を受け取り、前記新規の指令強度と前記指令強度との間の差異の大きさが閾値を超えた場合に前記新規の指令強度に対する即時の光源強度変化を引き起こすステップをさらに含む、請求項１１に記載の方法。
【請求項２４】
コンピュータにより読み取り可能な媒体に組み込まれ、光源強度を変更するためのコンピュータプログラム製品であって、
ある現在の強度を有する光源に対しての指令強度を受け取り、前記指令を受け取ったときに現在の強度が開始強度に等しくなるようにし、
前記光源に対する強度の少なくとも３つの段階のシーケンスの各々を用いて前記光源強度を前記開始強度から前記指令強度に向けて変化させるように前記少なくとも３つの段階のシーケンスを決定し、
光源強度変化を引き起こし、前記光源の強度における前記少なくとも３つの段階のシーケンスが、該少なくとも３つの段階の各々の間で生じる時間間隔を有して前記電流強度に各々付加され、前記少なくとも３つの段階の各々の間の時間間隔が累進的に長くされる、
ようにするコンピュータ命令を含む、
ことを特徴とするコンピュータプログラム製品。
【請求項２５】
プロセッサと、該プロセッサに結合され、前記プロセッサに命令を提供するように構成されたメモリと、を備える光源硬度変更システムであって、
前記命令が実行時に前記プロセッサに対して、
ある現在の強度を有する光源に対しての指令強度を受け取り、前記指令を受け取ったときに現在の強度が開始強度に等しくなるようにし、
前記光源に対する強度の少なくとも３つの段階のシーケンスの各々を用いて前記光源強度を前記開始強度から前記指令強度に向けて変化させるように前記少なくとも３つの段階のシーケンスを決定し、
光源強度変化を引き起こし、前記光源の強度における前記少なくとも３つの段階のシーケンスが、該少なくとも３つの段階の各々の間で生じる時間間隔を有して前記電流強度に各々付加され、前記少なくとも３つの段階の各々の間の時間間隔が累進的に長くされる、
ようにさせる、
ことを特徴とするシステム。
【請求項２６】
前記スケーリング動作の結果が、前記指令強度及び前記現在の強度に少なくとも部分的に基づいたものである、請求項１に記載の方法。
【請求項２７】
前記定数が１である、請求項１に記載の方法。
【請求項２８】
光源の強度を変化させる方法であって、
現在の強度を有する光源に対する指令強度を受け取るステップと、
を含み、
前記指令が受け取られたときに、開始強度が前記現在の強度に等しく、
当該方法が、さらに、前記光源に対する強度において少なくとも３つの段階のシーケンスを決定するステップを含み、
該シーケンスにおける各段階が、前記開始強度から前記指令強度に向かって前記光源の強度を変化させるために用いられ、前記シーケンスにおける前記少なくとも３つの段階の各々が累進的に小さくなり、前記少なくとも３つの段階及び該シーケンスにおける前記少なくとも３つの段階の各々の間における時間間隔が、前記光源の強度の変化が複数の所定のパターンのうちの１つのパターンに従うように、選択されるものであり、
当該方法が、さらに、光源の強度の変化を引き起こすステップを含み、
前記光源に対する強度における前記少なくとも３つの段階のシーケンスが、該シーケンスの前記少なくとも３つの段階の各々の間にある時間間隔を発生させながら、前記現在の強度に対して各々付加される、
ことを特徴とする方法。
【請求項２９】
前記複数の所定のパターンのうちの１つのパターンが、あるタイプの白熱電球の強度における変化に視覚的に類似して見えるように構成される、請求項２８に記載の方法。
【請求項３０】
前記複数の所定のパターンのうちの１つのパターンが、ヒューマンインターフェイスデバイスを用いて選択される、請求項２８に記載の方法。
【請求項３１】
前記複数の所定のパターンのうちの１つのパターンが、データインターフェイスを介した指令を用いて選択される、請求項２８に記載の方法。
【請求項３２】
前記現在の強度が前記指令強度に実質的に等しくなったことの表示を送出するステップをさらに含む、請求項２８に記載の方法。
【請求項３３】
新しい指令強度を受け取るステップと、
該新しい指令強度と前記指令強度との間における差の強度がしきい値を超えた場合に、前記新しい指令強度に対して光源の強度の変化を直ぐに発生させるステップと、
をさらに含む、請求項２８に記載の方法。